(57)【要約】【課題】電池の着脱に係る様々な事故を防止し、かつユーザの操作性を向上させることの可能な電池収納筐体および電子機器を提供する。【解決手段】電池室４には溝部１８が形成されており、この溝部１８にイジェクトレバー８が係合されて電池３を矢印７方向にスライド可能としている。イジェクトレバー８には第１フック部９が設けられ、また、溝部１８が形成された側の電池室４の壁面には、第１フック部９と対向するように第２フック部１０が形成されている。そして、第１フック部９および第２フック部１０には、スプリングなどの弾性部材１１が掛けられている。この弾性部材１１により、イジェクトレバー８は常に下方向（電池３を取り外す方向）に付勢されている。【選択図】図３
2008117610.tif 000002
【特許請求の範囲】
【請求項１】
電池を収納する筐体と、
前記筐体が備える開口部に設けられ、当該開口部を開放状態または遮蔽状態とする開閉蓋と、
前記開口部の開放状態時に、収納された前記電池を筐体外部へと排出させる排出機構とを有し、
前記排出機構は、
前記筐体の側面に設けられた溝部を介して係合され、前記筐体内部の前記電池を前記開口部方向へ排出させる第１の電池排出部材と、
前記第１の電池排出部材のうち前記筐体外部に設けられた第１引っ掛け部と
前記筐体外部の側面に、前記電池の排出方向から見て前記第１引っ掛け部と対向配置された第２引っ掛け部と、
前記第１引っ掛け部と前記第２引っ掛け部とに張架され、前記第１の電池排出部材を前記電池の排出方向に付勢する弾性部材とを有することを特徴とする電池収納筐体。
【請求項２】
前記第１の電池排出部材は、
前記筐体の内部および前記溝部に位置する部分では、前記筐体内部の上面および収納された前記電池の上面と略平行に設けられ、前記筐体外部に位置する部分では、前記筐体の側面と略平行に設けられてなることを特徴とする請求項１記載の電池収納筐体。
【請求項３】
前記第１の電池排出部材は、
前記電池の収納時に前記電池の上面と接触する第１の当接面と、前記電池の排出時に前記溝部の電池排出方向下側と接触する第２の当接面とを有し、
前記電池の排出時には、前記第２の当接面と接触するまで前記電池を排出することを特徴とする請求項１または２記載の電池収納筐体。
【請求項４】
前記第１の電池排出部材はガイド溝を備え、前記第１の電池排出部材が設けられた側の前記筐体外部の側面は前記ガイド溝と係合されるガイド部を有することを特徴とする請求項１から３のいずれか１項記載の電池収納筐体。
【請求項５】
電池を収納する筐体と、
前記筐体が備える開口部に設けられ、当該開口部を開放状態または遮蔽状態とする開閉蓋と、
前記開口部の開放状態時に、収納された前記電池を筐体外部へと排出させる排出機構とを有し、
前記排出機構は、
前記筐体外部の側面に設けられた軸部を介して係合され、前記筐体内部の前記電池を前記開口部方向へ排出させ、前記軸部を支点として前記電池の着脱方向に回動自在に設けられた第２の電池排出部材と、
前記第２の電池排出部材のうち前記軸部と対向する位置に設けられた第１引っ掛け部と、
前記筐体外部の側面に、前記電池の排出方向から見て前記第１引っ掛け部と対向配置された第２引っ掛け部と、
前記第１引っ掛け部と前記第２引っ掛け部とに張架され、前記第１の電池排出部材を前記電池の排出方向に付勢する弾性部材とを有することを特徴とする電池収納筐体。
【請求項６】
前記第２の電池排出部材は、前記筐体の内部にて前記電池と接触する当接部材を有することを特徴とする請求項５記載の電池収納筐体。
【請求項７】
前記電池を複数収納可能であることを特徴とする請求項１から６のいずれか１項記載の電池収納筐体。
【請求項８】
請求項１から７のいずれか１項記載の電池収納筐体を有する電子機器。
【発明の詳細な説明】
【技術分野】
【０００１】
本発明は、ユーザの操作性を向上した電池収納筐体および電子機器に関する。
【背景技術】
【０００２】
従来、デジタルカメラやビデオカメラなどのような携帯型の電子機器では、その電源をとなる電池を収容するための電池ケース（電池室）が設けられている。電池室より電池を排出する方式としては、電池室内にコイルスプリングなどを配置する方式や、電池から電源や信号を取り出すための接点部にバネ性を持たせて、その力により電池を排出する方式などが挙げられる。
【０００３】
図９は、従来の電池収納筐体を模式的に示す図である。図９（ａ）は電池室４に電池３が挿入された状態を示し、図９（ｂ）は電池室４から電池３が排出された状態を示す。
【０００４】
従来の電池収納筐体では、電池３を保持するための電池室４を有し、電池室４の内部に電池３からの電源や信号を受け渡しするための第１接点１２、第２接点１３、第３接点１４がそれぞれ配置されており、電池３と接触している。さらに、電池室４にはコイルスプリング２４が配置されており、常に電池３を排出方向に付勢している。
【０００５】
また図９（ｂ）に示すように、電池３をロック部材が無い状態では、電池３がコイルスプリング２４の作用により排出された状態となる。
【０００６】
このような従来の電池収納筐体では、電池室に対応できる電池が１種類の場合には、電池室内のスペースに余裕があり、電池を排出するためのコイルスプリング２４の配置が可能となっている。
【０００７】
電池室に関する従来技術としては、特許文献１，２に開示された発明が公知である。特許文献１には、１本の角型２次電池と２本の単３型電池とを選択的に収容する収容ボックス部を備え、形状の異なる電池を収容できる電池収容構造に関する技術が記載されている。
【０００８】
特許文献２には、充電型や円柱型の電池がパッキン部材を備えた開閉蓋の遮蔽により収納室内を防水密閉収容可能とし、簡単で小型化された構成で各種電池を撮影条件や雰囲気に応じ簡単に選択して、撮影条件により各種電池を電源として誤操作なく選択使用できる防水デジタルカメラに関する技術が記載されている。
【特許文献１】特開平１１−３２９３８７号公報
【特許文献２】特開２００４−１９１９１７号公報
【発明の開示】
【発明が解決しようとする課題】
【０００９】
しかし、従来の電池室では、例えばユーザが不用意に鉛筆等のようなもので電池室内の備品をつついたりして、前述した電池室内のコイルスプリングや接点部に外力を加えて、変形させてしまう事故が発生していた。
【００１０】
また、電池から電源や信号を取り出すための接点部にバネを持たせる方式では、電池の排出する接点部までのバネ性の関係で排出量は限られてしまい、排出された電池の突出量が少なく、ユーザが電池を掴めなかったり、機器全体を逆さまにして取り出さなければならないなどの問題があった。
【００１１】
また特許文献１に開示された技術では、角型２次電池を排出するための機能を有していない。したがって、角型２次電池を取り出す時にはカメラを逆さまにしなければならず、逆さまにして落ちてきた電池を取ることになる。当然、操作者（ユーザ）が誤って電池を落としてしまう事故が発生する可能性があり、また簡単に電池を取り出せないという操作上の問題もある。
【００１２】
このような課題に鑑み本発明は、筐体から電池を排出させる排出機構を有する電池収納筐体および電子機器を提供することを目的としている。
【課題を解決するための手段】
【００１３】
上記の目的を達成するため、請求項１に記載の発明は、電池を収納する筐体と、筐体が備える開口部に設けられ、当該開口部を開放状態または遮蔽状態とする開閉蓋と、開口部の開放状態時に、収納された電池を筐体外部へと排出させる排出機構とを有し、排出機構は、筐体の側面に設けられた溝部を介して係合され、筐体内部の電池を開口部方向へ排出させる第１の電池排出部材と、第１の電池排出部材のうち筐体外部に設けられた第１引っ掛け部と筐体外部の側面に、電池の排出方向から見て第１引っ掛け部と対向配置された第２引っ掛け部と、第１引っ掛け部と第２引っ掛け部とに張架され、第１の電池排出部材を電池の排出方向に付勢する弾性部材とを有する電池収納筐体であることを特徴とする。
【００１４】
請求項２に記載の発明は、請求項１記載の電池収納筐体において、第１の電池排出部材は、筐体の内部および溝部に位置する部分では、筐体内部の上面および収納された電池の上面と略平行に設けられ、筐体外部に位置する部分では、筐体の側面と略平行に設けられてなることを特徴とする。
【００１５】
請求項３に記載の発明は、請求項１または２記載の電池収納筐体において、第１の電池排出部材は、電池の収納時に電池の上面と接触する第１の当接面と、電池の排出時に溝部の電池排出方向下側と接触する第２の当接面とを有し、電池の排出時には、第２の当接面と接触するまで電池を排出することを特徴とする。
【００１６】
請求項４に記載の発明は、請求項１から３のいずれか１項記載の電池収納筐体において、第１の電池排出部材はガイド溝を備え、第１の電池排出部材が設けられた側の筐体外部の側面はガイド溝と係合されるガイド部を有することを特徴とする。
【００１７】
請求項５に記載の発明は、電池を収納する筐体と、筐体が備える開口部に設けられ、当該開口部を開放状態または遮蔽状態とする開閉蓋と、開口部の開放状態時に、収納された電池を筐体外部へと排出させる排出機構とを有し、排出機構は、筐体外部の側面に設けられた軸部を介して係合され、筐体内部の電池を開口部方向へ排出させ、軸部を支点として電池の着脱方向に回動自在に設けられた第２の電池排出部材と、第２の電池排出部材のうち軸部と対向する位置に設けられた第１引っ掛け部と、筐体外部の側面に、電池の排出方向から見て第１引っ掛け部と対向配置された第２引っ掛け部と、第１引っ掛け部と第２引っ掛け部とに張架され、第１の電池排出部材を電池の排出方向に付勢する弾性部材とを有する電池収納筐体であることを特徴とする。
【００１８】
請求項６に記載の発明は、請求項５記載の電池収納筐体において、第２の電池排出部材は、筐体の内部にて電池と接触する当接部材を有することを特徴とする。
【００１９】
請求項７に記載の発明は、請求項１から６のいずれか１項記載の電池収納筐体において、電池を複数収納可能であることを特徴とする。
【００２０】
請求項８に記載の発明は、請求項１から７のいずれか１項記載の電池収納筐体を有する電子機器であることを特徴とする。
【発明の効果】
【００２１】
本発明の電池収納筐体および電子機器によれば、電池の着脱に係る様々な事故を防止し、かつユーザの操作性を向上させることができる。
【発明を実施するための最良の形態】
【００２２】
以下に、本実施形態の電池収納筐体および電子機器について図面を参照しながら説明する。なお本実施形態は以下に述べるものに限定されず、その趣旨を逸脱しない範囲において種々変更が可能である。また本実施形態では、電子機器としてデジタルカメラを用いて説明する。
【００２３】
図１は、本実施形態のデジタルカメラの外観を模式的に示す図であり、カメラの下からの外観図である。図１では、電池蓋が閉じている状態を示している。
デジタルカメラ１本体の正面側には、画像を撮影するためのレンズ部２が備えられている。またデジタルカメラ１の下側には、カメラ本体の電源としての電池３（ここでは図示せず）を収納するための電池室４（ここでは図示せず）が設けられている。
【００２４】
また、デジタルカメラ１本体に電池２が収納された時に、電池３の落下をカバーするための電池蓋５が設けられている。電池蓋５にはボタン６が配置されており、ユーザがボタン６をスライドさせることで電池蓋５を開閉させることができる。
【００２５】
図２は、図１と同様に本実施形態のデジタルカメラの外観を模式的に示す図であり、電池蓋５が開放状態で、電池３が挿入される状態を示している。
【００２６】
図１と同様に、デジタルカメラ１本体の正面側には、画像を撮影するためのレンズ部２が備えられている。デジタルカメラ１の下側には、カメラ本体の電源としての電池３を収納するための電池室４が設けられており、電池３がデジタルカメラ１本体に収納された時に、電池３の落下をカバーするための電池蓋５が設けられている。
【００２７】
図２では、電池３がデジタルカメラ１本体に挿入されている途中の状態である。電池蓋５は開いており、電池３が挿入可能な状態となっている。電池３は、図中矢印７の方向に挿入したり取り出したりすることが可能となっている。
【００２８】
図３は、本実施形態の第１の電池収納筐体を模式的に示す図である。図３（ａ）は電池室４に電池３が挿入された状態を示し、図３（ｂ）は電池室４から電池３が排出された状態を示す。
【００２９】
図３（ａ）の状態から説明する。電池室４内には、電池３が挿入され収納されている。電池室４内には、電池３からの電源および信号を受け渡しするための第１接点１２、第２接点１３、第３接点１４がそれぞれ配置されており、電池３と接触している。また電池室４には溝部１８が形成されており、この溝部１８にイジェクトレバー８が係合されて電池３を矢印７方向にスライド可能としている。
【００３０】
イジェクトレバー８には第１フック部９が設けられ、また、溝部１８が形成された側の電池室４の壁面には、第１フック部９と対向するように第２フック部１０が形成されている。そして、第１フック部９および第２フック部１０には、スプリングなどの弾性部材１１が掛けられている。この弾性部材１１により、イジェクトレバー８は常に下方向（電池３を取り外す方向）に付勢されている。
【００３１】
このような構成をとることで、電池３が電池室４から飛び出すことをロックしている部材（電池蓋５）が無くなった際に（電池蓋５が開放状態にあるときに）、イジェクトレバー８が電池３を電池室４から排出させるように作用する。
【００３２】
図３（ｂ）は、電池３が電池室４から排出された状態を示している。前述の図３（ａ）に対して、イジェクトレバー８が弾性部材１１の力によって図３中の下側の方向に押し下げられており、電池３が排出された電池排出状態である。電池３は、イジェクトレバー８の第１当り面１５によって排出されている。また同時にイジェクトレバー８は、電池室４側の第２当り面１９によって電池３に対する排出力（下方向への付勢）がストップされている。
【００３３】
図４および図５は、前述した図３の構成を備えた、本実施形態のデジタルカメラの外観を模式的に示す図であり、カメラの下からの外観図である。図４では、電池蓋が閉じている状態を示している。なお図４，５においては、電池３の状態を見やすくするため、電池蓋５を省略して図示している。
【００３４】
図４では、電池３が電池室４に収納されている状態で、電池室４に設けられた溝部１８（ここでは図示せず）があり、その溝部１８に係合するようにイジェクトレバー８が嵌め込まれている。図３にて示したように、イジェクトレバー８には第１フック部９が形成され、電池室４には第２フック部１０が形成され、第１フック部９および第２フック部１０にそれぞれ弾性部材１１が掛けられている。
【００３５】
また図５では、電池蓋５が開放状態で、電池３が着脱される状態を示している。電池３の飛び出しをロックしていた電池蓋５が開いた状態となることで、イジェクトレバー８の下方向への付勢により、電池３が電池室４から排出された状態となっている。
【００３６】
図６は、本実施形態の第２の電池収納筐体を模式的に示す図である。図６（ａ）は電池室４に電池３が挿入された状態を示し、図６（ｂ）は電池室４から電池３が排出された状態を示す。
【００３７】
図６（ａ）の状態から説明する。電池室４内には、電池３が挿入され収納されている。電池室４内には、電池３からの電源および信号を受け渡しするための第１接点１２、第２接点１３、第３接点１４がそれぞれ配置されており、電池３と接触している。また電池室４には軸部２０が設けられ、この軸部２０にイジェクトレバー１６が係合されており、軸部２０を軸としてイジェクトレバー１６が回動可能に設けられている。これにより、電池３を矢印７方向にスライド可能としている。
【００３８】
イジェクトレバー１６には第１当り面（当接部材）１５が形成され、この第１当り面１５と電池３とが接触している。またイジェクトレバー１６には、軸部２０と係合する位置との対向位置に引っ掛け穴１７が形成されている。この引っ掛け穴１７と、電池室４に形成された第２フック部１０とに、弾性部材１１が掛けられている。この弾性部材１１により、イジェクトレバー１６は常に下方向（電池３を取り外す方向）に付勢されている。
【００３９】
このような構成をとることで、電池３が電池室４から飛び出すことをロックしている部材（電池蓋５）が無くなった際に（電池蓋５が開放状態にあるときに）、イジェクトレバー１６が電池３を電池室４から排出させるように作用する。
【００４０】
なお本実施形態では、電池室４側に軸部２０が形成されてイジェクトレバー１６と係合しているが、イジェクトレバー１６側に軸部２０を形成し、電池室４側に孔部などをもうけて係合する構成としてもよい。また、イジェクトレバー１６と弾性部材１１とを掛ける部分を引っ掛け穴１７として説明したが、引っ掛け穴に限定されず、例えば前述の図３のごとくフック部を設けることとしてもよい。イジェクトレバーと弾性部材とを掛けることができれば、その構成は自在である。
【００４１】
またここでは図示しなかったが、イジェクトレバー１６と係合して第１当り面１５が設けられるので、図６に示す電池室４の側面のうち正面側に、第１当り面１５を移動させるための溝部が設けられることになる。あるいは、図３などの場合と同様に、第２フック部１０が設けられる側の側面に溝部を形成し、イジェクトレバー１６をこの溝部に貫通させて移動可能としてもよい。
【００４２】
図６（ｂ）は、電池３が電池室４から排出された状態を示している。前述の図６（ａ）に対して、イジェクトレバー１６が弾性部材１１の力によって図６中の下側の方向に押し下げられており、電池３が排出された電池排出状態である。電池３は、イジェクトレバー１６の第１当り面１５によって排出されている。また同時にイジェクトレバー１６は、電池室４側の図示しない当り面によって電池３に対する排出力（下方向への付勢）がストップされている。
【００４３】
図７は、本実施形態の第３の電池収納筐体を模式的に示す図である。
図７では、第１の電池収納筐体の構成に加え、電池室４にガイド部材２３が形成される。そして、ガイド部材２３に係合するようにガイド溝２２を設けられたイジェクトレバー２１が配置されている。そしてイジェクトレバー２１は、ガイド溝２２に沿ってスライド可能となっている。
【００４４】
イジェクトレバー２１には第１フック部９が形成され、また電池室４の下側には第２フック部１０が形成されている。第１フック部９および第２フック部１０には、スプリングなどの弾性部材１１が掛けられている。この弾性部材１１により、イジェクトレバー８は常に下方向（電池３を取り外す方向）に付勢されている。またイジェクトレバー２１にも第１当り面１５が備えられており、図示しない電池を排出させるように作用する。
【００４５】
図８は、本実施形態の第４の電池収納筐体を模式的に示す図である。
第４の電池収納筐体の形態としては、電池室４が２種類の電池に対応可能な状態となっている。ここでは、第１の電池としてＬｉ電池を用い、第２の電池として単４電池を用いて説明する。
【００４６】
Ｌｉ電池に対する接点部として、第１接点部１２、第２接点１３、第３接点１４を備えており、各接点部がＬｉ電池と接触することで電源や信号などのやり取りを行う。また単４電池に対する接点部として、第１単４接点部２５および第２単４接点部２６が単４電池と接触することで電源や信号などのやり取りを行う。
【００４７】
この図８における内部構造では、従来技術のように上記各接点部とは別に、電池排出のためのコイルスプリング２４を配置することは不可能である。コイルスプリング２４は前述したように、各接点部との接触は絶対に避けなければならないが、従来技術の構成ではこの構成を満足することはできない。これに対し本実施形態では図８に示すように、イジェクトレバー８を非常にコンパクトに構成できるため、電池室に配置することが可能となっている。
【００４８】
従来、２種類以上の電池を電池室に装着する場合、電池から電源や信号を取り出すための接点部が必要になってくる。例えば、現在主流のリチウム二次電池においては、電源の２箇所、温度検出用の１箇所の合計３箇所が必要になる。単４電池の場合には、電源の２箇所が必要になる。リチウム二次電池、単４電池の両方に対応する電池室の場合、合計６箇所の接点部が必要になる。
【００４９】
ここで、電池挿入部を見たときには、その挿入エリアは限られており、電池内部の挿入部の大部分は接点部分で占められる。これにより、電池を排出するためのコイルスプリング２４は配置困難とになる。その理由として、コイルスプリング２４の性質上、コイルスプリング２４が多少傾いて取り付けてしまったり、変形してしまうことが避けきれないからである。また、もし万が一コイルスプリング２４と各接点部とが接触するようなことが発生すると、発煙、発火等の大事故に発生する可能性があり、絶対に避けないといけない重要項目となっている。
【００５０】
以上のような理由によって、電池排出のためにコイルスプリング２４を配置する場合には与えないければならないスペースは大きくならざるえなく、２種類以上の電池を電池室に装着する場合、コイルスプリング２４の配置自体が不可能になってしまう。
【００５１】
これに対して、本実施形態によれば、電池室４内にスプリング類などの弾性部材１１を配置しないため、電池を押し出す部材（イジェクトレバー）は非常にコンパクトに構成でき、かつ２種類以上の電池を収納することに対応した電池排出機能を形成することが可能となる。
【００５２】
以上、本実施形態の電池収納筐体および電子機器によれば、電池室内部にはスプリング類が無いので、ユーザは飛び出した電池をつかめるので、電池の着脱に係る様々な事故を防止し、かつ操作性を向上させることができる。また、電池を電池室より排出するイジェクトレバーが確実に電池を押し出すことができ、また、他の部品配置のために電池室内のスペースを大きく占有することもない。したがって、電池収納筐体をコンパクトに形成することができる。
【産業上の利用可能性】
【００５３】
本実施形態の電池収納筐体は、前述したデジタルカメラやビデオカメラのみならず、例えばヘッドホンステレオなど電池を着脱する構成を有する電子機器に適用が可能である。
【図面の簡単な説明】
【００５４】
【図１】本実施形態のデジタルカメラ電池蓋が閉じた状態を示す外観図である。
【図２】本実施形態のデジタルカメラに電池が挿入される状態を示す外観図である。
【図３】第１の電池収納筐体の構成を模式的に示す図であり、（ａ）は電池が挿入された状態を示し、（ｂ）は電池が排出された状態を示す。
【図４】図３に示す電池収納筐体にて、電池が挿入された状態の外観を模式的に示す外観図である。
【図５】図３に示す電池収納筐体にて、電池が取り外された状態の外観を模式的に示す外観図である。
【図６】第２の電池収納筐体の構成を模式的に示す図であり、（ａ）は電池が挿入された状態を示し、（ｂ）は電池が排出された状態を示す。
【図７】第３の電池収納筐体の構成を模式的に示す図である。
【図８】第４の電池収納筐体の構成を模式的に示す図である。
【図９】従来の電池収納筐体の構成を模式的に示す図であり、（ａ）は電池が挿入された状態を示し、（ｂ）は電池が排出された状態を示す。
【符号の説明】
【００５５】
１    デジタルカメラ
２    レンズ部
３    電池
４    電池室
５    電池蓋
６    ボタン
８，１６，２１    イジェクトレバー
９    第１フック部
１０    第２フック部
１１    弾性部材
１２    第１接点部
１３    第２接点
１４    第３接点
１５    第１当り面
１７    引っ掛け穴
１８    溝部
１９    第２当り面
２０    軸部
２２    ガイド部材
２３    ガイド溝
２４    コイルスプリング
２５    第１単４接点部
２６    第２単４接点部
【図１】
2008117610.tif 000003
【図２】
2008117610.tif 000004
【図３】
2008117610.tif 000005
【図４】
2008117610.tif 000006
【図５】
2008117610.tif 000007
【図６】
2008117610.tif 000008
【図７】
2008117610.tif 000009
【図８】
2008117610.tif 000010
【図９】
2008117610.tif 000011